(57)【特許請求の範囲】
【請求項１】
クロージャ本体の貫通部分に嵌合され、この貫通部分の隔壁に当接させる外周部を形成するとともに内部にスリーブ挿入孔を形成した弾性材料からなるグロメット本体と、
挿入ケーブルの外径に略等しい内径を有するとともに一端にフランジを形成したスリーブと、
グロメット本体の挿入孔にケーブルおよびスリーブが挿入された状態でスリーブのフランジ端面に当接される押し板と、
クロージャ本体に固着されて、押し板をスリーブ軸方向に押圧して保持する押圧手段と、
を備え、
押し板が押圧するスリーブのフランジおよび押し板がグロメット本体を押圧してグロメット本体を変形させることにより、グロメット本体のスリーブ挿入孔内部でスリーブと当接させ、かつ、グロメット本体の外周部をクロージャ本体の貫通部分の隔壁に当接させることを特徴とするグロメット。
【請求項２】
請求項１記載のグロメットにおいて、
スリーブに半径方向のすり割りを形成したことを特徴とするグロメット。
【請求項３】
請求項１または２記載のグロメットにおいて、
押し板をケーブル挿通部を通る切断線により二分割構造にしたことを特徴とするグロメット。
【発明の詳細な説明】
【０００１】
【発明の属する技術分野】
本発明は、ケーブルが隔壁を貫通する部分を封止するグロメットに関する。
【０００２】
【従来の技術】
従来、電気機器等のケーブル引き込む部分には、ケーブルの保護や防水のためにグロメットが挿着されている。特に通信ケーブルの中継器等では、浸水を嫌うため、水密性にすぐれたグロメットを用いるとともに、さらにシール材を注入・塗布し硬化させたり、シールテープを巻き付ける等の方法が用いられていた。
【０００３】
【発明が解決しようとする課題】
しかしながら、水密性を確実にするために、現場でシール材を用いると、その硬化までに一定の時間を必要として作業性が損なわれたり、シールテープの粘着等のために収納部本体の開閉に支障がでたり、繰り返し使用するには不適当であった。
【０００４】
【課題を解決するための手段】
そこで上記課題を解決するために、本発明は、
クロージャ本体の貫通部分に嵌合され、この貫通部分の隔壁に当接させる外周部を形成するとともに内部にスリーブ挿入孔を形成した弾性材料からなるグロメット本体と、
挿入ケーブルの外径に略等しい内径を有するとともに一端にフランジを形成したスリーブと、
グロメット本体の挿入孔にケーブルおよびスリーブが挿入された状態でスリーブのフランジ端面に当接される押し板と、
クロージャ本体に固着されて、押し板をスリーブ軸方向に押圧して保持する押圧手段と、
を備え、
押し板が押圧するスリーブのフランジおよび押し板がグロメット本体を押圧してグロメット本体を変形させることにより、グロメット本体のスリーブ挿入孔内部でスリーブと当接させ、かつ、グロメット本体の外周部をクロージャ本体の貫通部分の隔壁に当接させることを特徴とする。
【０００５】
なおここで、スリーブに半径方向のすり割りを形成したり、押し板をケーブル挿通部を通る切断線により二分割構造にすることにより、１つのグロメットに複数のケーブルを挿入した場合でも作業当該以外のケーブルに何等支障を与えない構造にすることも可能である。
【０００６】
【発明の実施の形態】
以下、図に沿って本発明の実施形態を説明する。
この実施形態は本発明を光ファイバケーブルの接続・分岐部に用いられるクロージャに適用したものであり、図１は組み立て手順を示す分解図であり、図２は組み立て途中を示す図であり、図３は組み立て後を示す図である。
図において、１は隔壁であるところのクロージャ本体、２，３は挿入されるケーブル、４はＥＰＤＭ等の弾性材料からなるグロメット本体、５，６はグロメット本体４よりも弾性率の大きい弾性材料からなるスリーブ、７は押し板、８は押圧手段であるところのカバーである。
【０００７】
これらを組み立てるには、最初にクロージャ本体１の貫通部分１ａにケーブル２，３を挿通した状態で、グロメット本体４の内側の孔４ａ，４ｂにケーブル２，３を挿通させながら、グロメット本体４の外周部４ｃをクロージャ本体１の貫通部分１ａに嵌合させる。同時に、スリーブ５，６にケーブル２，３を挿通させてから、スリーブ５，６を、グロメット本体４の孔４ａ，４ｂに挿入する。このとき、スリーブ５，６は、そのフランジ５ａ，６ａがグロメット本体４の孔４ａ，４ｂの端部に形成されている大径部４ｄ，４ｅに確実に嵌合させる。ここまでが図２に示された状態である。
【０００８】
次に、押し板７にケーブル２，３を挿通させてから、スリーブ５，６のフランジ５ａ，６ａに当接し、グロメット本体４の端面に形成されている凹部４ｆに嵌合させる。このとき、フランジ５ａ，６ａは凹部４ｆの部分に突出しているため、押し板７は凹部４ｆの底面とは離間したままである。次に、押し板７の背面にカバー８を当接して、図示しないボルト等でカバー８をクロージャ本体１に固定し、カバー８をスリーブ５，６側に押圧する。
【０００９】
それにより、図３に示すように、カバー８に押し板７を介して押圧されたフランジ５ａ，６ａは弾性を有するグロメット本体４を変形させながらその内部に押し込まれ、押し板７は凹部４ｆの底面に当接されるとともに、グロメット本体４の押圧されて変形した分が孔４ａ，４ｂの周囲部分に移動して、孔４ａ，４ｂが窄められる。その結果、スリーブ５，６の外周面が孔４ａ，４ｂの内周面に押圧されて密着する。また同時に、スリーブ５，６の内側のケーブル２，３もより強くスリーブ５，６に締めつけられて密着する。さらには、グロメット本体４の変形は外周部４ｃへも及び、外周部４ｃを拡大するように作用して、クロージャ本体１の貫通部分１ａと外周部４ｃとがより確実に密着する。
【００１０】
この実施形態では、２本のケーブル２，３を挿通させているが、１本だけを挿通する場合もあり、その場合は、ケーブルを通さない方に外形がスリーブと同一のプラグを挿入することで、スリーブの場合と同様に確実に封止することができる。
また、実施形態では、押し板７とカバー８をそれぞれ別な部品としているが、一体構造にすることも可能である。
【００１１】
さらには、ケーブルの挿通を容易にするために、スリーブ５，６にすり割りを形成している。同様に、押し板７もケーブル２，３の挿通部を通る切断線で２分割構造にして、組み込みを容易にしている。
また、実施形態は、光ファイバケーブルを用いたクロージャに適用した場合であるが、本発明は、他に電気ケーブル、エアチューブ等の隔壁貫通部にも適用可能である。
【００１２】
【発明の効果】
以上述べたように本発明によれば、グロメット本体の内側に挿入したスリーブ端面のフランジを軸方向に押圧することでその背面に位置するグロメット部分を変形させ、それによりスリーブおよびケーブルとの押圧部分を確実に密着させて水密性を高めることが可能となり、次の効果が得られる。
（１）別途にシール材を必要としないことで、作業性が向上するとともに繰り返し使用が可能となる。
（２）シールスリーブを替えることにより、ケーブル外径に自在に対応できる。（３）１つのグロメットに複数のケーブルを導入した場合でも、作業当該ケーブル以外のケーブルになんらの支障を与えない。
【図面の簡単な説明】
【図１】本発明をクロージャに適用した実施形態の分解図である。
【図２】実施形態の組み立て途中の状態を示す図である。
【図３】実施形態の組み立て終了後を示す図である。
【符号の説明】
１  クロージャ本体
１ａ  貫通部分
２，３  ケーブル
４  グロメット本体
４ａ，４ｂ  孔
４ｃ  外周部
４ｄ，４ｅ  大径部
４ｆ  凹部
５  スリーブ
５ａ  フランジ
６  スリーブ
６ａ  フランジ
７  押し板
８  カバー
【図１】
0004115031.tif 000002
【図２】
0004115031.tif 000003
【図３】
0004115031.tif 000004